(57)【要約】【課題】型紙作成対象の形状に適した型紙データを簡易に作成することができる型紙データ作成方法、型紙データ作成プログラムおよび型紙データ作成装置を提供すること。【解決手段】本発明の型紙データ作成方法は、製品を作製するための複数の基準型紙からなる基準型紙データを用いて製品を装用する対象の大きさに応じた型紙データを作成する型紙データ作成装置が行う型紙データ作成方法であって、作成対象のサイズに応じて、互いに大きさが異なる複数の基準型紙データを選択するデータ選択ステップと、作成対象のサイズに対する、選択された基準型紙データの重みを算出する重み算出ステップと、算出した各基準型紙データの重みを用いて、当該基準型紙データをもとに作成対象の型紙データを作成する型紙データ作成ステップと、を含む。【選択図】図１
2020173558.tif 000002
【特許請求の範囲】
【請求項１】
製品を作製するための複数の基準型紙からなる基準型紙データを用いて前記製品を装用する対象の大きさに応じた型紙データを作成する型紙データ作成装置が行う型紙データ作成方法であって、
作成対象のサイズに応じて、互いに大きさが異なる複数の基準型紙データを選択するデータ選択ステップと、
前記作成対象のサイズに対する、選択された基準型紙データの重みを算出する重み算出ステップと、
算出した各基準型紙データの重みを用いて、当該基準型紙データをもとに前記作成対象の型紙データを作成する型紙データ作成ステップと、
を含むことを特徴とする型紙データ作成方法。
【請求項２】
前記重み算出ステップは、作成対象のサイズに対する、各基準型紙データのサイズの比に基づいて前記重みを算出する
ことを特徴とする請求項１に記載の型紙データ作成方法。
【請求項３】
前記型紙データ作成ステップは、
基準型紙データ間で対応する基準型紙における頂点の対応関係を決定し、
対応する頂点位置と、前記重みとを用いて、前記作成対象のサイズの型紙データを作成する
ことを特徴とする請求項１に記載の型紙データ作成方法。
【請求項４】
前記データ選択ステップは、複数の型紙データにそれぞれ付与される複数のパラメータによって空間上に配置される分布に対し、ドロネー分割によって分割される複数のドロネー領域に対する、前記作成対象のサイズの配置に応じて前記基準型紙データを選択する
ことを特徴とする請求項１に記載の型紙データ作成方法。
【請求項５】
前記型紙データ作成ステップは、
サイズが異なる二つの基準型紙において対応する線を所定の分割数ｎでそれぞれｎ等分し、該等分した分割点同士をそれぞれ結び、
前記分割点同士を結んだ分割順がｉ（０≦ｉ≦ｎ）の線分に対し、ｉ：（ｎ−ｉ）で按分する位置に按分点を付し、
各按分点を結ぶことによって、前記作成対象の型紙データを作成する
ことを特徴とする請求項１に記載の型紙データ作成方法。
【請求項６】
製品を作製するための複数の型紙からなる基準型紙データを用いて前記製品を装用する対象の大きさに応じた型紙データを作成する型紙データ作成プログラムであって、
作成対象のサイズに応じて、互いに大きさが異なる複数の基準型紙データを選択するデータ選択手順と、
前記作成対象のサイズに対する、選択された基準型紙データの重みを算出する重み算出手順と、
算出した各基準型紙データの重みを用いて、当該基準型紙データをもとに前記作成対象の型紙データを作成する型紙データ作成手順と、
をコンピュータに実行させることを特徴とする型紙データ作成プログラム。
【請求項７】
製品を作製するための複数の型紙からなる基準型紙データを用いて前記製品を装用する対象の大きさに応じた型紙データを作成する型紙データ作成装置であって、
作成対象のサイズに応じて、互いに大きさが異なる複数の基準型紙データを選択するデータ選択部と、
前記作成対象のサイズに対する、選択された基準型紙データの重みを算出する重み算出部と、
算出した各基準型紙データの重みを用いて、当該基準型紙データをもとに前記作成対象の型紙データを作成する型紙データ作成部と、
を備えることを特徴とする型紙データ作成装置。
【発明の詳細な説明】
【技術分野】
【０００１】
本発明は、衣料等の作製に用いられる型紙のデータを作成する型紙データ作成方法、型紙データ作成プログラムおよび型紙データ作成装置に関する。
【背景技術】
【０００２】
近年のＣＡＤ（Computer  Aided  Design）システムの発展、普及に伴い、衣料等の作製に用いられる型紙のデータを作成する技術が採用されてきている。衣料を作製するうえでは、衣料を顧客の体型に合わせることが重要である。従来、標準パターンの型紙データを変形させることによって、標準パターンに対してサイズが大きい、または小さい型紙データを作成している。このような標準パターンを変形させて新たなパターンを得る手法は、グレーディングと呼ばれている（例えば、特許文献１を参照）。
【先行技術文献】
【特許文献】
【０００３】
【特許文献１】特表２００８−５１１８８９号公報
【発明の概要】
【発明が解決しようとする課題】
【０００４】
しかしながら、従来では、一つの標準パターンを変形させて異なるサイズのパターンを得ており、得られるパターンの自由度が小さいという問題があった。自由度を大きくするには、輪郭等に詳細に数値を付与して変形方法を指示する必要があり、入力パラメータ数の増加や、変形のためのアルゴリズムの複雑化を招く。
【０００５】
本発明は、上記課題に鑑みてなされたものであり、型紙作成対象の形状に適した型紙データを簡易に作成することができる型紙データ作成方法、型紙データ作成プログラムおよび型紙データ作成装置を提供することを目的とする。
【課題を解決するための手段】
【０００６】
上述した課題を解決し、目的を達成するために、本発明にかかる型紙データ作成方法は、製品を作製するための複数の基準型紙からなる基準型紙データを用いて前記製品を装用する対象の大きさに応じた型紙データを作成する型紙データ作成装置が行う型紙データ作成方法であって、作成対象のサイズに応じて、互いに大きさが異なる複数の基準型紙データを選択するデータ選択ステップと、前記作成対象のサイズに対する、選択された基準型紙データの重みを算出する重み算出ステップと、算出した各基準型紙データの重みを用いて、当該基準型紙データをもとに前記作成対象の型紙データを作成する型紙データ作成ステップと、を含むことを特徴とする。
【０００７】
また、本発明にかかる型紙データ作成方法は、上記の発明において、前記重み算出ステップは、作成対象のサイズに対する、各基準型紙データのサイズの比に基づいて前記重みを算出することを特徴とする。
【０００８】
また、本発明にかかる型紙データ作成方法は、上記の発明において、前記型紙データ作成ステップは、基準型紙データ間で対応する基準型紙における頂点の対応関係を決定し、対応する頂点位置と、前記重みとを用いて、前記作成対象のサイズの型紙データを作成することを特徴とする。
【０００９】
また、本発明にかかる型紙データ作成方法は、上記の発明において、前記データ選択ステップは、複数の型紙データにそれぞれ付与される複数のパラメータによって空間上に配置される分布に対し、ドロネー分割によって分割される複数のドロネー領域に対する、前記作成対象のサイズの配置に応じて前記基準型紙データを選択することを特徴とする。
【００１０】
また、本発明にかかる型紙データ作成方法は、上記の発明において、前記型紙データ作成ステップは、サイズが異なる二つの基準型紙において対応する線を所定の分割数ｎでそれぞれｎ等分し、該等分した分割点同士をそれぞれ結び、前記分割点同士を結んだ分割順がｉ（０≦ｉ≦ｎ）の線分に対し、ｉ：（ｎ−ｉ）で按分する位置に按分点を付し、各按分点を結ぶことによって、前記作成対象の型紙データを作成することを特徴とする。
【００１１】
また、本発明にかかる型紙データ作成プログラムは、製品を作製するための複数の型紙からなる基準型紙データを用いて前記製品を装用する対象の大きさに応じた型紙データを作成する型紙データ作成プログラムであって、作成対象のサイズに応じて、互いに大きさが異なる複数の基準型紙データを選択するデータ選択手順と、前記作成対象のサイズに対する、選択された基準型紙データの重みを算出する重み算出手順と、算出した各基準型紙データの重みを用いて、当該基準型紙データをもとに前記作成対象の型紙データを作成する型紙データ作成手順と、をコンピュータに実行させることを特徴とする。
【００１２】
また、本発明にかかる型紙データ作成装置は、製品を作製するための複数の型紙からなる基準型紙データを用いて前記製品を装用する対象の大きさに応じた型紙データを作成する型紙データ作成装置であって、作成対象のサイズに応じて、互いに大きさが異なる複数の基準型紙データを選択するデータ選択部と、前記作成対象のサイズに対する、選択された基準型紙データの重みを算出する重み算出部と、算出した各基準型紙データの重みを用いて、当該基準型紙データをもとに前記作成対象の型紙データを作成する型紙データ作成部と、を備えることを特徴とする。
【発明の効果】
【００１３】
本発明によれば、型紙作成対象の形状に適した型紙データを簡易に作成することができるという効果を奏する。
【図面の簡単な説明】
【００１４】
【図１】図１は、本発明の実施の形態１にかかる型紙データ作成装置の概略構成を模式的に示すブロック図である。
【図２】図２は、本発明の実施の形態１にかかる型紙データ作成装置が記憶する基準型紙データを示す図である。
【図３】図３は、本発明の実施の形態１にかかる型紙データ作成装置が行う型紙作成処理を示すフローチャートである。
【図４】図４は、本発明の実施の形態１にかかる型紙データ作成装置が作成した型紙データの一例を説明する図である。
【図５】図５は、本発明の実施の形態１にかかる型紙データ作成装置が作成した型紙データの他の例を説明する図である。
【図６】図６は、本発明の実施の形態１にかかる型紙データ作成装置が行う輪郭形成処理を説明する図である。
【図７】図７は、本発明の実施の形態１の変形例１にかかる型紙データ作成装置が行う型紙データ作成処理を説明する図である。
【図８Ａ】図８Ａは、本発明の実施の形態１の変形例１にかかる型紙データ作成装置が行う型紙データ作成処理を説明する図であって、型紙データの変形処理について説明する図（その１）である。
【図８Ｂ】図８Ｂは、本発明の実施の形態１の変形例１にかかる型紙データ作成装置が行う型紙データ作成処理を説明する図であって、型紙データの変形処理について説明する図（その２）である。
【図８Ｃ】図８Ｃは、本発明の実施の形態１の変形例１にかかる型紙データ作成装置が行う型紙データ作成処理を説明する図であって、型紙データの変形処理について説明する図（その３）である。
【図８Ｄ】図８Ｄは、本発明の実施の形態１の変形例１にかかる型紙データ作成装置が行う型紙データ作成処理を説明する図であって、型紙データの変形処理について説明する図（その４）である。
【図８Ｅ】図８Ｅは、本発明の実施の形態１の変形例１にかかる型紙データ作成装置が行う型紙データ作成処理を説明する図であって、型紙データの変形処理について説明する図（その５）である。
【図８Ｆ】図８Ｆは、本発明の実施の形態１の変形例１にかかる型紙データ作成装置が行う型紙データ作成処理を説明する図であって、型紙データの変形処理について説明する図（その６）である。
【図８Ｇ】図８Ｇは、本発明の実施の形態１の変形例１にかかる型紙データ作成装置が行う型紙データ作成処理を説明する図であって、型紙データの変形処理について説明する図（その７）である。
【図９】図９は、本発明の実施の形態１の変形例１にかかる型紙データ作成装置が行う型紙データにおける線のマージ処理を説明する図（その１）である。
【図１０】図１０は、本発明の実施の形態１の変形例１にかかる型紙データ作成装置が行う型紙データにおける線のマージ処理を説明する図（その２）である。
【図１１】図１１は、本発明の実施の形態１の変形例１にかかる型紙データ作成装置が行う型紙データにおける線のマージ処理を説明する図（その３）である。
【図１２】図１２は、本発明の実施の形態１の変形例１にかかる型紙データ作成装置が行う型紙データにおける線のマージ処理を説明する図（その４）である。
【図１３】図１３は、本発明の実施の形態１の変形例２にかかる型紙データ作成装置が行う型紙データ作成処理を説明する図である。
【図１４】図１４は、本発明の実施の形態２にかかる型紙データ作成装置が行う型紙データ作成処理を説明する図である。
【図１５】図１５は、本発明の実施の形態２にかかる型紙データ作成装置が行う型紙データ作成処理を説明する図であって、基準型紙データを選択する処理について説明する図（その１）である。
【図１６】図１６は、本発明の実施の形態２にかかる型紙データ作成装置が行う型紙データ作成処理を説明する図であって、基準型紙データを選択する処理について説明する図（その２）である。
【図１７】図１７は、本発明の実施の形態２にかかる型紙データ作成装置が行う型紙データ作成処理を説明する図であって、基準型紙データを選択する処理について説明する図（その３）である。
【発明を実施するための形態】
【００１５】
以下、本発明を実施するための形態を図面と共に詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は各図で例示された形状、大きさ、および位置関係のみに限定されるものではない。
【００１６】
（実施の形態１）
図１は、本発明の実施の形態１にかかる型紙データ作成装置の概略構成を模式的に示すブロック図である。図１に示す型紙データ作成装置１は、衣料の作製に用いられる複数の型紙の設計情報である型紙データを生成する。型紙データ作成装置１は、入力部１１と、出力部１２と、画像処理部１３と、記憶部１４と、制御部１５と、を備える。
【００１７】
入力部１１は、型紙データ作成装置１の各部の動作を指示する指示信号の入力や、画像における画像処理領域（位置）を指示する指示信号の入力の受け付け、および受け付けた指示信号を制御部１５に入力する。入力部１１は、キーボード、マウス、タッチパネル等のインタフェースを用いて実現される。入力部１１は、受け付けた指示信号を制御部１５に入力する。指示信号には、例えば、画像表示にかかる指示信号や、画像処理に関する選択指示、入力指示などの指示信号が挙げられる。
【００１８】
出力部１２は、ＬＥＤなどの光源や、スピーカなどを用いて構成される。出力部１２は、制御部１５による制御のもと、例えば、処理の開始時や終了時等に、出力処理を実行する。
【００１９】
画像処理部１３は、記憶部１４に記憶される型紙データから、設定されたサイズの型紙データを作成する処理や、二次元画像として表示される型紙の画像を表示させるため表示画像信号（画像情報）の生成処理を行う。画像処理部１３は、型紙データを構成する各型紙の設計に関する文字情報や、色情報などの各種情報を生成する。また、画像処理部１３は、複数の型紙の縫合情報などをもとに生成される三次元画像、例えば、複数の型紙に基づく仮想製品などの画像を生成してもよい。
【００２０】
記憶部１４は、型紙データ作成装置１に実行させる各種プログラム、プログラムの実行中に使用される各種データや、本発明の型紙作成方法にかかる型紙作成プログラムなどを記憶する。記憶部１４は、処理中のデータを一時的に記憶する機能を有する。また、記憶部１４は、一つの衣服を構成する複数の型紙に関する型紙データを複数組記憶する型紙データ記憶部１４ａと、顧客のサイズの計測結果から型紙を変更する場合の計測位置間の関係や、型紙データ記憶部１４ａが記憶する型紙データを用いて、所定のサイズの型紙データを作成するための式等を記憶する変更条件情報記憶部１４ｂとを有する。記憶部１４は、フラッシュメモリおよびＲＡＭ等の半導体メモリを用いて実現される。なお、記憶部１４は、外部から装着されるメモリカード等を用いて構成されてもよい。
【００２１】
制御部１５は、型紙データ作成装置１の各部の動作を制御するとともに、型紙データ作成装置１を統括的に制御する。制御部１５は、ＣＰＵ（Central  Processing  Unit）等を用いて構成され、型紙データ作成装置１に含まれる各部を制御するとともに、外部からの指示信号に応じて指示信号に対応する指示情報やデータの転送等を行って動作を制御する。
【００２２】
表示装置２は、画像処理部１３が生成した表示画像信号などを受信して該表示画像信号に対応する画像を表示する。表示装置２は、画像処理部１３から出力される型紙の設計情報にかかる文字情報や色情報などの各種情報を表示する。表示装置２は、液晶ディスプレイまたは有機ＥＬ（Electro  Luminescence）ディスプレイ等を用いて構成される。表示装置２は、制御部１５から出力される画像表示指示に基づいて画像を表示する。
【００２３】
ここで、画像処理部１３について説明する。画像処理部１３は、データ選択部１３１と、重み算出部１３２と、対応関係決定部１３３と、頂点位置決定部１３４と、輪郭生成部１３５とを有する。なお、対応関係決定部１３３、頂点位置決定部１３４および輪郭生成部１３５によって、型紙データ作成部を構成する。
【００２４】
データ選択部１３１は、型紙データ記憶部１４ａに記憶されている型紙データから、二つ以上の型紙データを選択する。
【００２５】
重み算出部１３２は、データ選択部１３１が選択した複数の型紙データの重みを算出する。重み算出部１３２は、複数の型紙データについて、所定のサイズの型紙データを作成する際に用いる重みを算出する。
【００２６】
図２は、本発明の実施の形態１にかかる型紙データ作成装置が記憶する基準型紙データを示す図である。図２には、型紙データを構成する複数の型紙のうちの二つの型紙を示している。例えば、図２に示す型紙Ｍ1が「４０サイズ」、型紙Ｍ2が「６０サイズ」であるとする。これら型紙Ｍ1、Ｍ2を構成する型紙データは、型紙データ記憶部１４ａに予め記憶されており、サイズが異なる型紙データを作成するための基準となる型紙データ（以下、基準型紙データともいう）である。サイズの前に付される数字が大きいほど、型紙のサイズが大きくなる。
【００２７】
対応関係決定部１３３は、データ選択部１３１が選択した各型紙データの各型紙に付与されている頂点や輪郭線（縫合線、裁切線、内部線等）の対応関係を決定する。対応関係決定部１３３は、型紙自体に付与されている情報（例えばコード）や、記憶部１４に記憶されている情報を参照して、データ選択部１３１が選択した型紙データ間の対応関係を決定する。例えば、図２に示す型紙Ｍ1の頂点Ｐ100と、型紙Ｍ2の頂点Ｐ101とを対応付けたり、型紙Ｍ1の輪郭線Ｌ100と、型紙Ｍ2の輪郭線Ｌ101とを対応付けたりする。なお、型紙間の頂点や輪郭線の対応関係は、ユーザが入力部１１を介して指示してもよい。
【００２８】
頂点位置決定部１３４は、重み算出部１３２が算出した重みと、対応関係決定部１３３が決定した対応関係とを用いて、作成するサイズの型紙の頂点位置を決定する。頂点位置決定部１３４は、型紙に付与されているすべての頂点について、対応する頂点位置を決定する。
【００２９】
輪郭生成部１３５は、基準とする型紙の形状をマージして、作成するサイズにおいて、頂点間を結ぶ輪郭線を生成する。線のマージについては後述する。
【００３０】
図３は、本発明の実施の形態１にかかる型紙データ作成装置が行う型紙作成処理を示すフローチャートである。データ選択部１３１は、入力部１１が、型紙データの作成指示の入力を受け付けると、異なるサイズの基準型紙データを選択する（ステップＳ１０１）。ここで、データ選択部１３１は、例えばサイズの大きさから基準型紙データを選択する場合、型紙データ記憶部１４ａに記憶されている基準型紙データのサイズのうち、最小のサイズ、および最大のサイズを抽出し、今回作成するサイズ（ここでは指定サイズという）の大きさと比較する。この際、データ選択部１３１は、指定サイズと、最小サイズ、最大サイズとをそれぞれ比較して、指定サイズが最小サイズより大きく、かつ最大サイズよりも小さければ、指定サイズよりも小さいサイズの基準型紙データのうちの最大のサイズの基準型紙データと、指定サイズよりも大きいサイズの基準型紙データのうちの最小のサイズの基準型紙データとを選択する。また、データ選択部１３１は、指定サイズが最小サイズより小さければ、指定サイズに対して最小のサイズの基準型紙データと、二番目に小さいサイズの基準型紙データとを選択する。また、データ選択部１３１は、指定サイズが最大サイズより大きければ、指定サイズに対して最大のサイズの基準型紙データと、二番目に大きいサイズの基準型紙データとを選択する。
【００３１】
基準型紙データの選択後、重み算出部１３２が、各基準型紙データの重みを算出する（ステップＳ１０２）。指定サイズの大きさをＳ、選択された一方のサイズの大きさをＳ1、他方のサイズの大きさをＳ2、選択された一方のサイズの重みをｗ1、他方のサイズの重みをｗ2とすると、重みｗ1、ｗ2は、指定サイズの大きさと、基準型紙データの大きさとの関係に基づいて、下式（１）、（２）によって算出される。
【数１】
2020173558.tif 000003
【００３２】
重み算出後、対応関係決定部１３３が、基準型紙データ間の対応関係を決定する（ステップＳ１０３）。対応関係決定部１３３は、型紙の頂点や輪郭線の対応関係を決定する。
【００３３】
その後、頂点位置決定部１３４は、作成するサイズ（指定サイズ）の型紙の頂点位置を決定する（ステップＳ１０４）。頂点位置決定部１３４は、基準型紙データの型紙の頂点に対応する、指定サイズの型紙の頂点位置を、基準型紙データと、重みとを用いて決定する。
【００３４】
頂点位置決定後、輪郭生成部１３５は、作成するサイズ（指定サイズ）の型紙の輪郭線を生成する（ステップＳ１０５）。輪郭生成部１３５は、頂点位置決定部１３４が決定した頂点間を結ぶ輪郭線を、基準型紙データと、重みとを用いて生成する。
【００３５】
図４は、本発明の実施の形態１にかかる型紙データ作成装置が作成した型紙データの一例を説明する図であって、「４０サイズ」および「６０サイズ」の基準型紙データから「５０サイズ」の型紙データを作成する例を説明する図である。
【００３６】
重み算出部１３２は、「４０サイズ」の重みをｗ1、「６０サイズ」の重みをｗ2として、「５０サイズ」を作成する際の重みを算出する。重みの算出には、上式（１）、（２）を用いる。この場合、重みｗ1、ｗ2はそれぞれ０．５となる。
【００３７】
その後、頂点位置決定部１３４が、算出された重みｗ1、ｗ2と、対応関係決定部１３３が決定した対応関係とを用いて、「５０サイズ」の型紙の頂点位置を決定する。例えば、型紙Ｍ1の頂点Ｐ100と、型紙Ｍ2の頂点Ｐ101とから、「５０サイズ」の型紙（作成後の型紙Ｄ1）の頂点位置を頂点Ｐ102に決定する。具体的には、型紙Ｍ1の頂点Ｐ100の座標を（ｘ100，ｙ100）、型紙Ｍ2の頂点Ｐ101の座標を（ｘ101，ｙ101）、作成するサイズの頂点Ｐ102の座標を（ｘ102，ｙ102）とすると、ｘ102、ｙ102は、下式によって算出される。
ｘ102＝ｗ1×ｘ100＋ｗ2×ｘ101
ｙ102＝ｗ1×ｙ100＋ｗ2×ｙ101
【００３８】
輪郭生成部１３５は、決定された頂点同士を結ぶことによって輪郭を生成し、「５０サイズ」の型紙Ｄ1を作成する。この際、輪郭生成部１３５は、基準とする型紙Ｍ1と型紙Ｍ2の形状をマージして輪郭線を生成する。
【００３９】
図５は、本発明の実施の形態１にかかる型紙データ作成装置が作成した型紙データの他の例を説明する図であって、「４０サイズ」および「６０サイズ」の基準型紙データから「７０サイズ」の型紙データを作成する例を説明する図である。
【００４０】
重み算出部３１２は、「５０サイズ」の場合と同様にして、「４０サイズ」の重みｗ1、「６０サイズ」の重みｗ2を算出する。重みの算出には、上式（１）、（２）を用いる。この場合、重みｗ1は−０．５、ｗ2は１．５となる。
【００４１】
その後、頂点位置決定部１３４が、算出された重みｗ1、ｗ2と、対応関係決定部１３３が決定した対応関係とを用いて、「７０サイズ」の型紙の頂点位置を決定する。例えば、型紙Ｍ1の頂点Ｐ100と、型紙Ｍ2の頂点Ｐ101とから、「７０サイズ」の型紙（作成後の型紙Ｄ2）の頂点位置を頂点Ｐ103に決定する。
【００４２】
輪郭生成部１３５は、決定された頂点同士を結ぶことによって輪郭を生成し、「７０サイズ」の型紙Ｄ2を作成する。
【００４３】
図６は、本発明の実施の形態１にかかる型紙データ作成装置が行う輪郭形成処理を説明する図である。例えば、一方の基準型紙の曲線Ｌ200と、他方の基準型紙の曲線Ｌ201との間に等分する線（ｗ1＝０．５、ｗ2＝０．５）を作図する場合、まず、点Ｐ201と点Ｐ202とを端点として曲線Ｌ200をｎ等分（図６ではｎ＝８）し、点Ｐ211と点Ｐ212とを端点として曲線Ｌ201をｎ等分する。その後、順に対応する点同士を結んで、その結んだ線分を等分する位置を決定する。例えば、曲線Ｌ200のＰ201と、曲線Ｌ201のＰ211とを結ぶ線分を等分する位置にＰ221を付し、曲線Ｌ200のＰ202と、曲線Ｌ201のＰ212とを結ぶ線分を等分する位置にＰ222を付す。同様に対応する曲線Ｌ200と曲線Ｌ201との各点を結ぶ線分を等分する位置に点を付し、それらの点を滑らかに結ぶ曲線Ｌ202を生成する。この曲線Ｌ202が、作成する型紙のサイズに応じた輪郭線となる。このようにして、各頂点間を結ぶ輪郭線を生成し、対応する頂点同士を合わせることによって、作成するサイズの型紙が生成される。
なお、図６では、二つの曲線を等分（ｗ1＝０．５、ｗ2＝０．５）する場合を例に説明したが、等分以外においても、ｗ1：ｗ2に按分する線が作成される。
【００４４】
上述した実施の形態１では、複数の基準型紙データを用いて、指定サイズの型紙データを作成する。従来では、指示値をもとに、一つの基準型紙を相似形状で変形させることしかできなかった、または、指示値を細かく入力して基準型紙を変形させる必要があったが、本実施の形態１では、例えば、サイズ間で輪郭線の曲率が異なる場合に、その曲率の変化に対応させた型紙データを作成することができる。本実施の形態１によれば、型紙作成対象の形状に適した型紙データを簡易に作成することができる。
【００４５】
（実施の形態１の変形例１）
次に、本発明の実施の形態１の変形例１について説明する。本実施の形態１の変形例１にかかる型紙データ作成装置は、上述した実施の形態１にかかる型紙データ作成装置１と同様の構成を備えている。本変形例１では、上述した処理によって作成された型紙の一部のサイズを変更する場合について説明する。
【００４６】
図７は、本発明の実施の形態１の変形例１にかかる型紙データ作成装置が行う型紙データ作成処理を説明する図である。図７に示す型紙は、例えば、上述した処理によって基準型紙ＤS、ＤLから型紙ＤMが作成された場合に、この型紙ＤMの一部を変形する例を説明する。型紙ＤMは、型紙のサイズとして基準型紙ＤSよりも大きく、型紙ＤLよりも小さい。本変形例１では、基準型紙ＤSをＳサイズ、基準型紙ＤLをＬサイズ、型紙ＤMをＭサイズとする。なお、基準型紙ＤS、ＤL、型紙ＤMには、ポケットの配設位置に相当するポケット線が付与されている。具体的に、基準型紙ＤSにはポケット線ＤSPが付与され、基準型紙ＤLにはポケット線ＤLPが付与され、型紙ＤMにはポケット線ＤMPが付与されている。以下、この型紙ＤMについて、一部のサイズを、基準型紙ＤSまたは基準型紙ＤLのサイズに変更する。
【００４７】
図８Ａ〜図８Ｇは、本発明の実施の形態１の変形例１にかかる型紙データ作成装置が行う型紙データ作成処理を説明する図であって、型紙データの変形処理について説明する図である。
【００４８】
まず、入力部１１が、型紙ＤMにおけるサイズの変更箇所の指示情報を受け付ける。ここでは、図８Ａに示すように、ポケット線ＤMPのサイズをＳサイズ（ポケット線ＤSP）に変更し、バストラインＤM1および下部中心線ＤM2をＬサイズに変更し、裾線ＤM3をＳサイズに変更する。
この際、サイズを変更する複数の線が閉じた環状をなす場合、これらの線は、変更するサイズがすべて同じでなければならない。例えば、図８Ａにおいて、ポケットを構成する複数の線は環状をなすが、すべての線がＳサイズに指定されているため許容される。一方、脇線ＤM4は、環状をなすバストラインＤM1、下部中心線ＤM2、裾線ＤM3および脇線ＤM4において、裾線ＤM3がＳサイズに指定され、バストラインＤM1がＬサイズに指定されているため、当該変更箇所の環状を維持するには、ＳサイズやＬサイズのサイズ指定は許容されない。
【００４９】
輪郭生成部１３５は、変更箇所として指示された線のうち、連続する線をグループ化する。図８Ｂに示す場合は、ポケット線ＤMPの輪郭線が領域Ｒ1としてグループ化され、バストラインＤM1、下部中心線ＤM2および裾線ＤM3を示す輪郭線が領域Ｒ2としてグループ化される。
【００５０】
その後、グループ化された各領域において、固定点を一点指示する。本変形例１では、グループ化された時点で、輪郭線上に複数の自由点が表示され、ユーザが入力部１１を介して固定点を指示する。自由点は、サイズの変更によってその位置が移動する点であり、固定点は、サイズを変更してもその位置が移動しない点である。図８Ｃでは、領域Ｒ1（ポケット線ＤMP）において設定される自由点Ｐ41〜Ｐ44のうち自由点Ｐ41が固定点として指示された例を示す。また、領域Ｒ2において設定される自由点Ｐ51〜Ｐ54のうち自由点Ｐ51が固定点として指示された例を示す。以下、自由点Ｐ41、自由点Ｐ51を、固定点Ｐ41、固定点Ｐ51ということもある。
【００５１】
固定点決定後、輪郭生成部１３５は、固定点を支点として、変更箇所のサイズを変更する（図８Ｄ参照）。具体的に、ポケット線ＤMPのサイズを、固定点Ｐ41を支点としてＳサイズに変更してポケット線ＤSPとし、バストラインＤM1および下部中心線ＤM2を、固定点Ｐ51を支点としてＬサイズ（バストラインＤL1および下部中心線ＤL2）に変更し、裾線ＤM3を、変更後の自由点Ｐ53を支点としてＳサイズ（裾線ＤS1）に変更する。
【００５２】
変更箇所のサイズを変更すると、輪郭線の繋がりが切れてしまう部分が生じることがある。図８Ｃの場合、変更後の自由点Ｐ52と袖ぐり（図８Ｅに示す袖ぐりＱM）との接続、および、変更後の自由点Ｐ52と自由点Ｐ54との接続が切れてしまう。このため、輪郭生成部１３５は、線をマージすることによって、輪郭線がつながるように補間する。線のマージの具体的な処理については後述する。
【００５３】
変更後の自由点Ｐ52と、袖ぐりＱM（図８Ｅ参照）とのマージは、型紙ＤMの袖ぐりＱMと、バストラインＤL1に対応する型紙ＤLの袖ぐりＱLとをマージする。袖ぐりＱMと袖ぐりＱLとのマージによって、変更後の袖ぐりＱM´が得られる（図８Ｅ参照）。
【００５４】
また、変更後の自由点Ｐ52と自由点Ｐ54とを接続する脇線のマージは、バストラインＤL1に対応する型紙ＤLの脇線ＤL4と、裾線ＤS1に対応する型紙ＤSの脇線ＤS4とをマージする。脇線ＤL4と脇線ＤS4とのマージによって、変更後の脇線ＤM4´が得られる（図８Ｆ参照）。
【００５５】
上述したマージ処理によって、型紙ＤMの一部のサイズを変更した型紙ＤM´が得られる（図８Ｇ参照）。
【００５６】
ここで、線のマージについて、図９〜図１２を参照して説明する。図９は、本発明の実施の形態１の変形例１にかかる型紙データ作成装置が行う型紙データにおける線のマージ処理を説明する図（その１）である。ここでは、図９に示すように、一方の端点としてＰ61を持つ曲線Ｌ60と、一方の端点としてＰ71を持つ曲線Ｌ70をマージして、Ｐ61とＰ71を両端点とする新たな曲線（図９に示す破線Ｌ80）を生成する例を説明する。
【００５７】
図１０は、本発明の実施の形態１の変形例１にかかる型紙データ作成装置が行う型紙データにおける線のマージ処理を説明する図（その２）である。輪郭生成部１３５は、曲線Ｌ60、Ｌ70を、それぞれ同じ数で等分し、端点Ｐ61と、曲線Ｌ70の端点Ｐ71と反対側の端点Ｐ72とを結び、曲線Ｌ60の端点Ｐ61と反対側の端点Ｐ62と、端点Ｐ71とを結ぶ。また、輪郭生成部１３５は、端点間にある、向かい合う分割点（点Ｐ63〜点Ｐ69、点Ｐ79〜点Ｐ73）同士を結ぶ。本変形例１では、曲線を８等分する。分割数は、予め設定されている値を適用してもよいし、線の長さや、変曲点の数、曲率の最大値（曲率半径の最小値）等から動的に算出された値を適用してもよい。
【００５８】
図１１は、本発明の実施の形態１の変形例１にかかる型紙データ作成装置が行う型紙データにおける線のマージ処理を説明する図（その３）である。輪郭生成部１３５は、結んだ線分（図１０参照）を所定の比で按分する按分点を付す（図１１参照）。本変形例１では、端点Ｐ61から順に付される分割順をｉ（０≦ｉ≦ｎ）とすると、一方の端点から、等分数ｎ（ここでは８）にしたがって、ｉ：（ｎ−ｉ）の比で按分する位置に按分点を付す。例えば、曲線Ｌ60の端点Ｐ61から、該端点Ｐ61の位置をｉ＝０として、順に按分点を付していく。端点Ｐ61と端点Ｐ72とを結ぶｉ＝０の線分においては、ｉ＝０であるので、この位置の按分点は端点Ｐ61である。また、端点Ｐ62と端点Ｐ71とを結ぶｉ＝ｎの線分においては、ｉ＝ｎであるので、この位置の按分点は端点Ｐ71である。輪郭生成部１３５は、端点Ｐ61側から端点Ｐ62に向かって順に、１：７、２：６、・・・、６：２、７：１で按分する按分点Ｐ81、Ｐ82、・・・、Ｐ86、Ｐ87を付す。
【００５９】
図１２は、本発明の実施の形態１の変形例１にかかる型紙データ作成装置が行う型紙データにおける線のマージ処理を説明する図（その４）である。端点Ｐ61、Ｐ71を含む按分点Ｐ81、Ｐ82、・・・、Ｐ86、Ｐ87を付した後、輪郭生成部１３５は、端点Ｐ61、Ｐ71、按分点Ｐ81、Ｐ82、・・・、Ｐ86、Ｐ87を繋いで、新たな曲線Ｌ80を生成する。マージされた曲線Ｌ80は、端点Ｐ61の近傍では曲線Ｌ60に近い形状であり、端点Ｐ71の近傍では曲線Ｌ70に近い形状となる。なお、上述した方法では、曲線を例に説明したが、直線であっても同様である。特に直線同士に適用する場合は、新たに生成される線も直線になる。
このように、曲線Ｌ60、Ｌ70をマージして曲線Ｌ80を生成する方法を適用して、上述した袖ぐりＱM´や脇線ＤM4´を得る。
【００６０】
以上説明した変形例１では、作成した型紙に対して、一部のサイズを変更する際に、基準型紙の輪郭線を使用してマージすることによって、各基準型紙の形状を反映したマージ線を生成して、一部を変更した型紙データを作成する。本変形例１によれば、型紙の一部を変更する場合であっても、型紙作成対象の形状に適した型紙データを簡易に作成することができる。
【００６１】
（実施の形態１の変形例２）
次に、本発明の実施の形態１の変形例２について説明する。本実施の形態１の変形例２にかかる型紙データ作成装置は、上述した実施の形態１にかかる型紙データ作成装置１と同様の構成を備えている。本変形例２では、上述した処理によって作成される型紙を、衣料を構成する型紙の組単位で実施する。
【００６２】
図１３は、本発明の実施の形態１の変形例２にかかる型紙データ作成装置が行う型紙データ作成処理を説明する図である。例えば、同じデザインの衣料を作成する場合において、変形例１で説明したＳサイズの衣料の型紙群に相当する基準型紙データＧ1と、Ｌサイズの衣料の型紙群に相当する基準型紙データＧ2とを用いて、上述した処理（図３に示すフローチャート）を型紙ごとに実施することによって、指定したサイズ（ここではＭサイズ）の型紙データＧ3が作成される。この際、各型紙の対応関係等は、予め設定された情報をもとに決定してもよいし、ユーザが入力部１１を介して指示してもよい。
【００６３】
上述した変形例２では、型紙群に対してサイズが指定入力された場合に、そのサイズに応じた複数の基準の型紙群（基準型紙データ）を選択して、複数のサイズの型紙データから対応する型紙ごとに指定サイズの型紙群を一括して作成する。本変形例２によれば、型紙作成対象の形状に適した型紙データを、衣料を構成する型紙群単位で一括して簡易に作成することができる。
【００６４】
（実施の形態２）
次に、本発明の実施の形態２について、図１４〜１７を参照して説明する。本実施の形態２にかかる型紙データ作成装置は、上述した実施の形態１にかかる型紙データ作成装置１と同様の構成を備えている。本実施の形態２では、型紙データ記憶部１４ａが、少なくとも一部のサイズが互いに異なる三つ以上の基準型紙データを記憶しているものとして説明する。型紙データ作成処理の流れは、上述した図３に示すフローチャートに準じて実行される。本実施の形態２では、ステップＳ１０１のデータ選択処理やステップＳ１０２の重み算出処理が、実施の形態１と異なる。以下、実施の形態１とは異なる処理について説明する。
【００６５】
本実施の形態２では、作成するサイズを指定する際に、二つのパラメータが入力される。本実施の形態２では、バストと背丈とが入力される例を説明する。図１４は、本発明の実施の形態２にかかる型紙データ作成装置が行う型紙データ作成処理を説明する図である。例えば、バストが１１０であり、背丈が５０であるサイズが指定される。この指定サイズの型紙データ（例えば図１４に示す型紙Ｄ11）は、サイズが近い三つの基準型紙データ（例えば各型紙データの一部である基準型紙Ｍ11、Ｍ12、Ｍ13）を用いて作成される。データ選択部１３１は、指定のサイズから、パラメータが近い基準型紙データを選択する。図１４に示す例では、バスト１１０、背丈５０に近いサイズの三つの基準型紙データが選択される。
【００６６】
以下、図１５〜図１７を参照して、データ選択部１３１による基準型紙データの選択方法について説明する。以下では、ドロネー分割を用いて選択する例について説明する。なお、型紙データ記憶部１４ａには、登録されている複数の基準型紙データについて、図１４に示すような基準型紙データの分布が記憶されている。図１４では、バストと背丈とをパラメータとする分布を示しているが、パラメータは型紙の種類等によって適宜選択される。
ドロネー分割を用いた選択方法では、二つのパラメータによる二次元の分布において、指定サイズの母点から各基準型紙データの母点までの距離に応じて基準型紙データを選択する。
【００６７】
図１５は、本発明の実施の形態２にかかる型紙データ作成装置が行う型紙データ作成処理を説明する図であって、基準型紙データを選択する処理について説明する図（その１）である。なお、以下に説明する図１５〜図１７では、横軸および縦軸はあるサイズ項目にそれぞれ対応する。図１５に示す分布において、母点ＰBは基準型紙データと対応し、その座標は対応する基準型紙データのサイズを表している。この母点ＰB群に対し、母点ＰB間の距離に応じて、各母点ＰBの領域を分割される領域を、ボロノイ領域ＲVとする。ボノロイ領域ＲVは、平面上で隣り合う母点ＰBを分割するボロノイ境界ＬVによって分割される。
【００６８】
図１６は、本発明の実施の形態２にかかる型紙データ作成装置が行う型紙データ作成処理を説明する図であって、基準型紙データを選択する処理について説明する図（その２）である。隣接するボノロイ領域ＲVの母点ＰB同士を繋ぐと、母点ＰB同士を繋ぐドロネー線ＬBによって新たな領域が形成される。この領域を、ドロネー領域ＴDという。通常、ドロネー領域ＴDは、三角形の領域を形成する。
【００６９】
図１７は、本発明の実施の形態２にかかる型紙データ作成装置が行う型紙データ作成処理を説明する図であって、基準型紙データを選択する処理について説明する図（その３）である。ドロネー領域ＴDの形成後、ドロネー領域ＴD群の外周の領域を分割するため、外周線の角二等分線を追記して、ドロネー領域ＴDの形成範囲を拡大する。図１７に示す例では、母点ＰBに接続するドロネー線ＬBの外周側を二等分する角二等分線ＬHを追加する。これによって、矩形をなす外縁で囲まれた領域が、複数のドロネー領域ＴDに分けられる。
【００７０】
データ選択部１３１は、指定サイズに応じて指定点をプロットした際に、該指定点を含むドロネー領域ＴDを抽出し、このドロネー領域ＴDを構成する三つの母点ＰBを選択する。各母点ＰBは、基準型紙データと対応付いているため、選択した母点ＰBに対応する基準型紙データが選択される。
【００７１】
データ選択部１３１は、上述したドロネー分割によるデータ選択のほか、指定サイズと、各基準型紙データとの間の距離を参照して、距離が近い基準型紙データから順に三つ選択するようにしてもよい。また、ユーザが、入力部１１を介して、選択する基準型紙データを指示してもよい。
【００７２】
重み算出部１３２は、データ選択部１３１が選択した基準型紙データと、入力された指定サイズとを用いて、各基準型紙データの重みを算出する。例えば、三つの基準型紙データ（ここでは、第１基準型紙データ、第２基準型紙データ、第３基準型紙データという）が選択され、指定サイズのバストの大きさをＳ10、指定サイズの背丈の大きさをＳ20、第１基準型紙データにおけるバストのサイズの大きさをＳ11、第１基準型紙データにおける背丈のサイズの大きさをＳ21、第２基準型紙データにおけるバストのサイズの大きさをＳ12、第２基準型紙データにおける背丈のサイズの大きさをＳ22、第３基準型紙データにおけるバストのサイズの大きさをＳ13、第３基準型紙データにおける背丈のサイズの大きさをＳ23、第１基準型紙データの重みをｗ11、第２基準型紙データの重みをｗ12、第３基準型紙データの重みをｗ13とすると、重みｗ11、ｗ12、ｗ13は、下式（３）〜（５）によって算出される。
【数２】
2020173558.tif 000004
【００７３】
重みｗ11、ｗ12、ｗ13が算出されると、対応関係決定部１３３が、基準型紙データ間の対応関係を決定し、頂点位置決定部１３４が、作成するサイズ（指定サイズ）の型紙の頂点位置を決定する。その後、輪郭生成部１３５が、作成するサイズ（指定サイズ）の型紙の輪郭線を生成する。
【００７４】
上述した実施の形態２では、型紙に関して複数のパラメータが入力された場合に、そのパラメータに応じた複数の基準型紙データを選択して、指定サイズの型紙データを作成する。本実施の形態２によれば、上述した実施の形態１と同様に、型紙作成対象の形状に適した型紙データを簡易に作成することができる。
【００７５】
（その他の実施の形態）
上述した実施の形態１、２やその変形例にかかる型紙データ作成は、三つのサイズ項目を有するデータに対しても適用することができる。三つのサイズ項目を有するデータの型紙データでは、４つの基準型紙データを用いて指定サイズの型紙データを作成することが可能である。すなわち、ｎ個のサイズ項目を有するデータに対し、ｎ＋１個の基準データがあれば、指定サイズのデータを作成することができる。この際、ｎ次元空間におけるボロノイ分割やドロネー分割は、２次元の場合と同様にして実施することが可能である。また、サイズ項目としては、例えば、バスト、背丈、首回り、袖丈およびウエストが挙げられる。
【００７６】
なお、上述した実施の形態１、２やその変形例では、型紙データ作成装置１に設けられた記憶部１４が型紙データなどを記憶しているものとして説明したが、型紙データ作成装置１とは別に設けられた記憶媒体を介して情報を取得するものであってもよいし、ネットワークを介して情報を取得するものであってもよい。
【００７７】
また、上述した実施の形態１、２やその変形例では、三次元形状をなす製品として衣服を作成するために用いられる型紙を例に説明したが、衣服などの衣料服飾品のほか、布団や枕、型紙を用いて形成されるカバー類、車両用のシートなどの製品においても適用することができる。カバーやシートの場合、基準ボディは、カバーを被せる装用対象の内容物の基準形状に基づいて生成される。
【００７８】
以上のように、本発明にかかる型紙データ作成方法、型紙データ作成プログラムおよび型紙データ作成装置は、型紙作成対象の形状に適した型紙データを簡易に作成するのに有用である。
【符号の説明】
【００７９】
１  型紙データ作成装置
２  表示装置
１１  入力部
１２  出力部
１３  画像処理部
１４  記憶部
１４ａ  型紙データ記憶部
１４ｂ  変更条件情報記憶部
１５  制御部
１３１  データ選択部
１３２  重み算出部
１３３  対応関係決定部
１３４  頂点位置決定部
１３５  輪郭生成部
【図１】
2020173558.tif 000005
【図２】
2020173558.tif 000006
【図３】
2020173558.tif 000007
【図４】
2020173558.tif 000008
【図５】
2020173558.tif 000009
【図６】
2020173558.tif 000010
【図７】
2020173558.tif 000011
【図８Ａ】
2020173558.tif 000012
【図８Ｂ】
2020173558.tif 000013
【図８Ｃ】
2020173558.tif 000014
【図８Ｄ】
2020173558.tif 000015
【図８Ｅ】
2020173558.tif 000016
【図８Ｆ】
2020173558.tif 000017
【図８Ｇ】
2020173558.tif 000018
【図９】
2020173558.tif 000019
【図１０】
2020173558.tif 000020
【図１１】
2020173558.tif 000021
【図１２】
2020173558.tif 000022
【図１３】
2020173558.tif 000023
【図１４】
2020173558.tif 000024
【図１５】
2020173558.tif 000025
【図１６】
2020173558.tif 000026
【図１７】
2020173558.tif 000027